(57)【要約】【課題】エーロフォイルを冷却する。【解決手段】タービンブレードは、凹形状をした加圧側外壁および凸形状をした吸引側外壁であり、前縁および後縁に沿って接続し、外壁の間に冷却剤の流れを受けるための半径方向に延びるチャンバを形成する加圧側外壁および吸引側外壁によって画定されるエーロフォイルを備える。タービンブレードは、第１の流路および第２の流路を含む半径方向に延びる流路へとチャンバを仕切るリブ構成と、第１の流路内に形成された入口を第２の流路内に形成された出口へと流体接続する交差通路とをさらに含むことができる。交差通路は、第２の流路に対して傾斜した構成を含むことができる。【選択図】図１
2015127541.tif 000002
【特許請求の範囲】
【請求項１】
凹形状をした加圧側外壁および凸形状をした吸引側外壁であり、前縁および後縁に沿って接続し、前記外壁の間に冷却剤の流れを受けるための半径方向に延びるチャンバを形成する、加圧側外壁および吸引側外壁によって画定されるエーロフォイルを備えるタービンブレードであって、
第１の流路および第２の流路を含む半径方向に延びる流路へと前記チャンバを仕切るリブ構成と、
前記第１の流路内に形成された入口を前記第２の流路内に形成された出口へと流体接続する交差通路と
をさらに備え、
前記交差通路が前記第２の流路に対して傾斜した構成を含む、
タービンブレード。
【請求項２】
前記傾斜した構成は、前記交差通路の中心軸が前記交差通路の前記出口を囲む表面に垂直な方向に対してある角度に向けられる構成を含む、請求項１記載のタービンブレード。
【請求項３】
前記傾斜した構成は、前記交差通路の前記中心軸および前記出口を囲む前記表面に垂直な前記方向が２０°よりも大きい鋭角を形成する構成を含む、請求項２記載のタービンブレード。
【請求項４】
前記交差通路がほぼ直線であり、
前記傾斜した構成は、前記交差通路が前記交差通路の前記出口を囲む表面に対してある角度に向けられる構成を含む、
請求項１記載のタービンブレード。
【請求項５】
前記傾斜した構成は、前記交差通路および前記交差通路の前記出口を囲む前記表面が７０°よりも小さい角度を形成する構成を含む、請求項４記載のタービンブレード。
【請求項６】
前記傾斜した構成は、前記交差通路および前記交差通路の前記出口の前記周囲の表面が５０°よりも小さい角度を形成する構成を含む、請求項４記載のタービンブレード。
【請求項７】
前記傾斜した構成は、前記交差通路が前記第２の流路の中心軸に対して接線方向に向けられる構成を含み、
前記交差通路が湾曲する、
請求項１記載のタービンブレード。
【請求項８】
前記交差通路の前記傾斜した構成が、半径方向傾きを含む、請求項１記載のタービンブレード。
【請求項９】
前記傾斜した構成の前記半径方向傾きが、少なくとも２０°の角度を含む、請求項８記載のタービンブレード。
【請求項１０】
前記交差通路が、湾曲したプロファイルを含む、請求項１記載のタービンブレード。
【請求項１１】
前記第２の流路は、前記交差通路の前記出口が形成される第１の面および前記交差通路が狙いを定める第２の面を含む半径方向に延びる面によって画定される、請求項１記載のタービンブレード。
【請求項１２】
前記第１の面および前記第２の面が、前記第２の流路の対向する面を備える、請求項１１記載のタービンブレード。
【請求項１３】
前記第１の面および前記第２の面が、前記第２の流路の隣接する面を備える、請求項１１記載のタービンブレード。
【請求項１４】
前記第２の流路が、前記第２の面に対向しかつ前記第１の面に隣接する第３の面を含み、
前記出口が、前記第３の面よりも前記第２の面に近い前記第１の面上の位置を含み、
前記交差通路は、湾曲が前記第１の面の方に向く湾曲したプロファイルを含む、
請求項１３記載のタービンブレード。
【請求項１５】
前記第２の面が、タービュレータを含み、前記タービュレータが、急峻な面を有し、ほぼ半径方向に向いた細長い突起を含む、請求項１１記載のタービンブレード。
【請求項１６】
前記第１の面および前記第２の面の各々が、加圧側外壁、吸引側外壁、およびカンバ線リブのうちの１つを含む、請求項１２記載のタービンブレード。
【請求項１７】
前記第１の面がカンバ線リブを含み、前記第２の面がトラバースリブを含む、請求項１３記載のタービンブレード。
【請求項１８】
前記第１の面がトラバースリブを含み、前記第２の面がカンバ線リブを含む
請求項１３記載のタービンブレード。
【請求項１９】
前記第１の面および前記第２の面のうちの一方が、波形プロファイルを有するカンバ線リブのセグメントを含み、
前記波形プロファイルが、少なくとも１つの前後への「Ｓ字」形状を有するプロファイルを含み、
前記タービンブレードが、タービン回転子ブレードを含み、
前記交差通路が、前記通路を通る加圧した冷却剤の流れを衝突させるように構成されたくびれ構成を含む、
請求項１３記載のタービンブレード。
【請求項２０】
凹形状をした加圧側外壁および凸形状をした吸引側外壁であり、前縁および後縁に沿って接続し、前記外壁の間に冷却剤の流れを受けるための半径方向に延びるチャンバを形成する、加圧側外壁および吸引側外壁によって画定されるエーロフォイルを備えるタービンブレードであって、
第１の流路および第２の流路を含む半径方向に延びる流路へと前記チャンバを仕切るリブ構成と、
前記第１の流路内に形成された入口を前記第２の流路内に形成された出口へと流体接続する交差通路と
をさらに備え、
前記交差通路が、直線的でありかつ前記出口を囲む表面と少なくとも２０°の鋭角を形成するように構成され、
前記第２の流路は、前記交差通路の前記出口が形成される第１の面および前記交差通路が狙いを定める第２の面を含む半径方向に延びる面によって画定され、
前記第２の面が、タービュレータを含む、
タービンブレード。
【発明の詳細な説明】
【技術分野】
【０００１】
本発明は、タービンエーロフォイルに関し、より詳細には、エーロフォイルを冷却するために空気などの流体を通すための内部導管を有する回転子ブレードまたは固定子ブレードなどの中空タービンエーロフォイルに関する。
【背景技術】
【０００２】
燃焼タービンエンジンまたはガスタービンエンジン（以降「ガスタービン」）は、圧縮機、燃焼器、およびタービンを含む。本分野において良く知られているように、圧縮機において圧縮された空気は、燃料と混合され、燃焼器において点火され、その後タービンを通って膨張して、動力を生み出す。タービン内部の構成要素、特に円周方向に配列した回転子ブレードおよび固定子ブレードは、それらによって消費される燃焼生成物の極端に高い温度および圧力によって特徴付けられる好ましくない環境に曝される。繰り返し熱サイクルならびにこの環境の極端な温度および機械的応力に耐えるために、エーロフォイルは、堅固な構造を有し、能動的に冷却されなければならない。
【０００３】
認識されるように、タービン回転子ブレードおよび固定子ブレードは、冷却システムを形成する内部通路または回路を多くの場合に含み、内部通路または回路を通して冷却剤を、典型的には圧縮機から流れ出る空気を循環する。このような冷却回路は内部リブによって典型的には形成され、内部リブは、エーロフォイルに対して要求される構造的な支持を与え、許容可能な温度プロファイル内にエーロフォイルを維持するように設計された複数の流路を含む。これらの冷却回路を通過する空気を、エーロフォイルの前縁、後縁、吸引側、および加圧側に形成した膜冷却アパーチャを介して多くの場合に放出する。
【０００４】
ガスタービンの効率は着火温度が上昇するにつれて向上することを認識するであろう。このために、タービンブレードがこれまでにない高い温度に耐えることを可能にする技術的な進歩が絶えず求められている。これらの進歩は、時には高温に耐えることができる新材料を含むが、同時に多くの場合に、これらの進歩は、ブレード構造および冷却能力を高めるようにエーロフォイルの内部構成を改善することを含む。しかしながら、冷却剤を使用することがエンジンの効率を低下させるという理由で、冷却剤使用量のレベルの増加に余りに強く依存する新しい配列は、１つの非効率性をもう１つのものに単に交換するにすぎない。その結果として、内部エーロフォイル構成および冷却剤効率を向上させる冷却剤循環を提供する新しいエーロフォイル設計に対する要求が継続している。
【０００５】
内部冷却型エーロフォイルの設計をさらに複雑にする検討事項は、動作中にエーロフォイル内部構造と外部構造との間に現れる温度差である。すなわち、高温ガス通路に露出するという理由で、エーロフォイルの外壁は、例えば、典型的に、内部リブの各々の側に画定される通路を通って流れる冷却剤を有することができる内部リブの多くよりも動作中にはるかに高い温度にある。事実、一般的なエーロフォイル構成は、長い内部リブが加圧側外壁および吸引側外壁に平行に延びる「四重壁（ｆｏｕｒ−ｗａｌｌ）」配置を含む。四重壁配置内に形成された壁に近い流路によって高い冷却効率を達成することができるが、外壁は、内壁よりも著しく大きなレベルの熱膨張を経験することが知られている。この不均衡な膨張は、内部リブと外壁とが接触する点のところで応力を発達させ、これがブレードの寿命を短くすることがある低サイクル疲労を引き起こすことがある。したがって、より効率的に冷却剤を使用する一方で、内部領域と外部領域との間での不均衡な熱膨張によって引き起こされる応力をやはり減少させるエーロフォイル構造の開発には、重大な技術産業上の難題が残されている。
【先行技術文献】
【特許文献】
【０００６】
【特許文献１】米国特許第８２５１６６０号公報
【発明の概要】
【課題を解決するための手段】
【０００７】
本出願は、したがって、凹形状をした加圧側外壁および凸形状をした吸引側外壁であり、前縁および後縁に沿って接続し、外壁の間に冷却剤の流れを受けるための半径方向に延びるチャンバを形成する加圧側外壁および吸引側外壁によって画定されるエーロフォイルを備えるタービンブレードを記述する。タービンブレードは、第１の流路および第２の流路を含む半径方向に延びる流路へとチャンバを仕切るリブ構成と、第１の流路内に形成された入口を第２の流路内に形成された出口へと流体接続する交差通路とをさらに含む。交差通路は、第２の流路に対して傾斜した構成を含む。ある種の実施形態では、交差通路は、直線的であってもよく、出口を囲む表面と少なくとも２０°の鋭角を形成するように構成されることがある。第２の流路は、交差通路の出口が形成される第１の面および交差通路が狙いを定める第２の面を含む半径方向に広がる面によって画定されることがある。第２の面は、タービュレータを含むことができる。
【０００８】
本出願のこれらの特徴および他の特徴は、図面および特許請求の範囲とともに検討すると好ましい実施形態の下記の詳細な説明を精査することで明らかになるであろう。
【０００９】
本発明のこれらの特徴および他の特徴は、添付した図面とともに検討して本発明の例示的な実施形態の下記のより詳細な説明を注意深く吟味することによって、より完全に理解され、認識されるであろう。
【図面の簡単な説明】
【００１０】
【図１】本出願のある種の実施形態を使用することができる例示的なタービンエンジンの模式図である。
【図２】図１の燃焼タービンエンジンの圧縮機部の断面図である。
【図３】図１の燃焼タービンエンジンのタービン部の断面図である。
【図４】本発明の実施形態を利用することができるタイプのタービン回転子ブレードの斜視図である。
【図５】従来型の設計による内壁構成またはリブ構成を有するタービン回転子ブレードの断面図である。
【図６】本発明の実施形態による内壁構成を有するタービン回転子ブレードの断面図である。
【図７】本発明のある種の態様による、内壁構成および流路連通を有するタービン回転子ブレードの吸引側の断面図である。
【図８】本発明のある種の態様による、内壁構成および流路連通を有するタービン回転子ブレードの加圧側の断面図である。
【図９】本発明の代替実施形態による、エーロフォイルの外壁の断面図である。
【発明を実施するための形態】
【００１１】
初期事項として、現在の発明を明確に記述するために、ガスタービン内部の関係する機械部品を呼ぶときおよび記述するときに、ある種の用語を選択することが必要になるであろう。これを行うときに、可能な場合には、一般的な産業用語を、認められている意味と整合する様式で使用し利用するであろう。別段述べない限り、このような用語は、本出願の文脈および別記の特許請求の範囲の範囲と整合する幅広い解釈を与えるはずである。多くの場合に、特定の構成要素を、いくつかの異なる用語または重なる用語を使用して呼ぶことがあることを当業者なら認識するであろう。単一部品であるとして本明細書において記述することができるものは、複数の構成要素から構成されるもう１つの状況を含むことができ、もう１つの状況において参照されることがある。あるいは、複数の構成要素を含むとして本明細書において記述することができるものが、どこかでは単一部品として呼ばれることがある。したがって、本発明の範囲を理解する際に、本明細書において提供される用語および記述だけでなく、構成要素の構造、構成、機能、および／または使用にも注意を払うべきである。
【００１２】
加えて、いくつかの説明的な用語を、本明細書においては定常的に使用することがあり、この項のはじめにこれらの用語を定義することは役立つはずである。これらの用語およびその定義は、別段述べない限り、次の通りである。本明細書において使用するように、「下流（ｄｏｗｎｓｔｒｅａｍ）」および「上流（ｕｐｓｔｒｅａｍ）」は、タービンエンジンを通る作動流体などの流体の流れ、または例えば、燃焼器を通る空気の流れもしくはタービンの構成要素システムのうちの１つを通る冷却剤の流れに対して相対的な方向を示す用語である。「下流」という用語は、流体の流れの方向に対応し、「上流」という用語は、流れに反対の方向を呼ぶ。「前方（ｆｏｒｗａｒｄ）」および「後（ａｆｔ）」という用語は、何らかのさらなる特定がない場合、「前方」が前またはエンジンの圧縮機端を呼び、「後」が後方またはエンジンのタービン端を呼ぶことをともなう方向を呼ぶ。中心軸に関して異なる半径方向位置にある部品を説明することが、しばしば必要である。「半径方向（ｒａｄｉａｌ）」という用語は、軸に対して垂直な動きまたは位置を呼ぶ。このようなケースでは、第１の構成要素が第２の構成要素よりも軸の近くに存在する場合には、第１の構成要素は、第２の構成要素の「半径方向の内側（ｒａｄｉａｌｌｙ  ｉｎｗａｒｄ）」または「内側寄り（ｉｎｂｏａｒｄ）」であることを、本明細書においては述べるであろう。その一方で、第１の構成要素が第２の構成要素よりも軸から遠くに存在する場合には、第１の構成要素は、第２の構成要素の「半径方向の外側（ｒａｄｉａｌｌｙ  ｏｕｔｗａｒｄ）」または「外側寄り（ｏｕｔｂｏａｒｄ）」であることを、本明細書においては述べることができる。「軸方向（ａｘｉａｌ）」という用語は、軸に平行な動きまたは位置を呼ぶ。最後に、「円周方向（ｃｉｒｃｕｍｆｅｒｅｎｔｉａｌ）」という用語は、軸の周りの動きまたは位置を呼ぶ。このような用語を、タービンの中心軸に関連して適用することができることを認識するであろう。
【００１３】
背景として、ここで図を参照して、図１から図４は、本出願の実施形態をその中で使用することができる例示的な燃焼タービンエンジンを図示する。本発明がこの特定のタイプの使用に限定されないことを、当業者なら理解するであろう。本発明を、発電において使用するものなどの燃焼タービンエンジン、航空機、ならびに他のエンジンタイプにおいて使用することができる。提供する例は、別段述べない限り限定することを意味しない。
【００１４】
図１は、燃焼タービンエンジン１０の模式的な表示である。一般に、燃焼タービンエンジンは、圧縮された空気の流れの中で燃料を燃焼させることによって生成される高温ガスの加圧された流れからエネルギーを取り出すことによって動作する。図１に図示したように、燃焼タービンエンジン１０を、軸流圧縮機１１を用いて構成することができ、軸流圧縮機を、下流タービン部またはタービン１３および圧縮機１１とタービン１３との間に位置する燃焼器１２へ共通シャフトまたは回転子によって機械的に連結する。
【００１５】
図２は、図１の燃焼タービンエンジンにおいて使用することができる例示的な多段軸流圧縮機１１の図を例示する。示したように、圧縮機１１は、複数の段を含むことができる。各段は、圧縮機回転子ブレード１４の列に続いて圧縮機固定子ブレード１５の列を含むことができる。このように、第１の段は、中央シャフトの周りを回転する圧縮機回転子ブレード１４の列に続いて動作中には静止したままである圧縮機固定子ブレード１５の列を含むことができる。
【００１６】
図３は、図１の燃焼タービンエンジンにおいて使用することができる例示的なタービン部またはタービン１３の部分図を例示する。タービン１３は、複数の段を含むことができる。３つの例示的な段を図示するが、より多くの段またはより少ない段が、タービン１３内に存在する場合がある。第１の段は、動作中にシャフトの周りを回転する複数のタービンバケットまたはタービン回転子ブレード１６、および動作中には静止したままである複数のノズルまたはタービン固定子ブレード１７を含む。タービン固定子ブレード１７は、一般的に、相互に円周方向に間隔を空けて設置され、回転軸の周りに固定される。タービン回転子ブレード１６を、シャフト（図示せず）の周りの回転用のタービンホイール（図示せず）上に載置することができる。タービン１３の第２の段をやはり図示する。第２の段は、同様に、複数の円周方向に間隔を空けて設置されたタービン固定子ブレード１７に続いて回転用のタービンホイール上にやはり載置され、複数の円周方向に間隔を空けて設置されたタービン回転子ブレード１６を含む。第３の段をやはり図示し、同様に複数のタービン固定子ブレード１７および回転子ブレード１６を含む。タービン固定子ブレード１７およびタービン回転子ブレード１６がタービン１３の高温ガス通路内に置かれることを認識するであろう。高温ガス通路を通る高温ガスの流れの方向を、矢印によって示す。当業者なら認識するように、タービン１３は、図３に図示したものよりも多くの段、またはいくつかのケースでは少ない段を有することができる。各々の追加の段は、タービン固定子ブレード１７の列に続いてタービン回転子ブレード１６の列を含むことができる。
【００１７】
動作の一例では、軸流圧縮機１１内部の圧縮機回転子ブレード１４の回転は、空気の流れを圧縮することができる。燃焼器１２では、圧縮空気を燃料と混合し、点火すると、エネルギーを放出することができる。燃焼器１２からの得られた高温ガス、これを作動流体と呼ぶことができる、の流れを、次に、タービン回転子ブレード１６の上方に向け、作動流体の流れがシャフトの周りのタービン回転子ブレード１６の回転を引き起こす。これにより、作動流体の流れのエネルギーを、回転するブレード、および回転ブレードとシャフトとの間の接続によって回転するシャフトの機械的エネルギーへと変換する。シャフトの機械的エネルギーを、次に、圧縮機回転子ブレード１４を回転させるために使用することができ、その結果、圧縮空気の必要な供給を作り、そしてやはり、例えば、発電機を回転させて電力を作るために使用することができる。
【００１８】
図４は、本発明の実施形態を利用することができるタイプのタービン回転子ブレード１６の斜視図である。タービン回転子ブレード１６は、付け根２１を含み、これによって回転子ブレード１６を回転子ディスクに取り付ける。付け根２１は、回転子ディスクの周囲の対応するダブテールスロット内に載置するために構成されたダブテールを含むことができる。付け根２１は、ダブテールとプラットフォーム２４との間に延びるシャンクをさらに含むことができ、プラットフォームは、エーロフォイル２５と付け根２１との接合部のところに配置され、タービン１３を通る流路の内側寄り境界の一部を画定する。エーロフォイル２５が、作動流体の流れを途中で捕え、回転子ディスクを回転させる回転子ブレード１６の能動部品であることを認識するであろう。この例のブレードはタービン回転子ブレード１６であるが、タービン固定子ブレード１７を含むタービンエンジン１０内部の他のタイプのブレードに本発明をやはり適用することができることを認識するであろう。回転子ブレード１６のエーロフォイル２５が、対向する前縁２８と後縁２９との間で軸方向にそれぞれ延びる凹型加圧側外壁２６および円周方向にまたは横方向に対向する凸型吸引側外壁２７を含むことを理解するであろう。側壁２６および２７は、プラットフォーム２４から外側寄り先端３１まで半径方向にやはり延びる。（本発明の用途は、タービン回転子ブレードに限定されないだけでなく、固定子ブレードにもやはり適用可能であり得ることを認識するであろう。本明細書において説明するいくつかの実施形態における回転子ブレードの使用は、別段述べない限り例示的である。）
図５は、従来型の設計を有する回転子ブレードエーロフォイル２５に見出すことができるような内部壁構成を示す。示したように、エーロフォイル２５の外側表面を、比較的薄い加圧側外壁２６および吸引側外壁２７によって画定することができ、これらの外壁を、複数の半径方向に延び交差するリブ６０を介して接続することができる。リブ６０は、エーロフォイル２５に対する構造的支持を与える一方で、複数の半径方向に延び実質的に分離された流路４０をやはり画定するように構成される。典型的には、リブ６０は、エーロフォイル２５の半径方向の高さの大部分にわたり流路を仕切るように半径方向に延びるが、下記により詳細に論じるように、冷却回路を画定するように、流路をエーロフォイルの周辺に沿って接続することができる。すなわち、流路４０は、エーロフォイル２５の外側寄り端部または内側寄り端部のところで、ならびに多数の小さな交差通路または交差通路の間に位置することができるインピンジメントアパーチャ（図示せず）を介して流体連通することができる。このようにして、流路４０のうちのあるものは一緒に、曲がりくねったまたは蛇行する冷却回路を形成することができる。加えて、冷却剤を流路４０からエーロフォイル２５の外側表面上へと通して放出する出口を形成する膜冷却ポート（図示せず）を含むことができる。
【００１９】
リブ６０は、２つの異なるタイプを含むことができ、これらを次に、本明細書において行うように、さらに細分割することができる。第１のタイプ、カンバ線リブ６２は、典型的には、エーロフォイルのカンバ線に平行またはほぼ平行に延びる長いリブであり、カンバ線は、前縁２８から後縁２９まで伸び、加圧側外壁２６と吸引側外壁２７との間の中間点を接続する基準線である。しばしばあるように、図５の従来型構成は、２つのカンバ線リブ６２、すなわち加圧側外壁２６からオフセットし、近接する様式で与えられる加圧側内壁ともやはり呼ばれることがある加圧側カンバ線リブ６３、吸引側外壁２７からオフセットし、近接する様式で与えられる吸引側内壁ともやはり呼ばれることがある吸引側カンバ線リブ６４を含む。述べたように、このタイプの設計は、２つの側壁２６、２７および２つのカンバ線リブ６３、６４を含む行きわたる４つの主要な壁のために、「四重壁」構成を有するとしばしば呼ばれる。外壁２６、２７およびカンバ線リブ６２は、一体型構成部品として鋳造されることを認識するであろう。
【００２０】
第２のタイプのリブは、本明細書においてはトラバースリブ６６と呼ばれる。トラバースリブ６６は、四重壁構成の壁および内部リブを接続するように示された短いリブである。示したように、４つの壁を、多数のトラバースリブ６６によって接続することができ、トラバースリブ６６を、どの壁を各々が接続するかにしたがってさらに分類することができる。本明細書において使用するように、加圧側外壁２６を加圧側カンバ線リブ６３に接続するトラバースリブ６６は、加圧側トラバースリブ６７と呼ばれる。吸引側外壁２７を吸引側カンバ線リブ６４に接続するトラバースリブ６６は、吸引側トラバースリブ６８と呼ばれる。最後に、加圧側カンバ線リブ６３を吸引側カンバ線リブ６４に接続するトラバースリブ６６は、中央トラバースリブ６９と呼ばれる。
【００２１】
一般的に、エーロフォイル２５内の四重壁内部構成の目的は、効率的な壁に近い冷却を与えることであり、この中では、冷却空気が、エーロフォイル２５の外壁２６、２７に隣接する導管内を流れる。冷却空気がエーロフォイルの熱い外側表面のすぐそばにあり、狭い導管を通る流れを制約することによって実現される大きな流速のために、得られる熱伝達係数が大きいという理由で、壁に近い冷却が有利であることを認識するであろう。しかしながら、このような設計は、エーロフォイル２５内で経験する異なるレベルの熱膨張のために低サイクル疲労を経験しがちであり、これが結局は、回転子ブレードの寿命を短くすることがある。例えば、動作では、吸引側外壁２７は、吸引側カンバ線リブ６４よりも大きく熱膨張する。この膨張差は、エーロフォイル２５のカンバ線の長さを増加させる傾向にあり、これによって、これらの構造のそれぞれの間に、ならびにこれらを接続するこれらの構造間に応力を生じさせる。加えて、加圧側外壁２６は、より冷たい加圧側カンバ線リブ６３よりもやはり大きく熱膨張する。このケースでは、差は、エーロフォイル２５のカンバ線の長さを減少させる傾向にあり、これによって、これらの構造の各々の間に、ならびにこれらを接続するこれらの構造間に応力を生じさせる。１つのケースではエーロフォイルカンバ線を減少させる傾向があり、他方ではこれを増加させるエーロフォイル内の反対の力が、さらなる応力集中をもたらすことがある。エーロフォイルの特定の構造的構成が与えられるとこれらの力が現れる様々な形態、および力がその後つり合い補償される様式は、回転子ブレード１６の部品寿命の重要な決定的要因になる。
【００２２】
より具体的に、一般的なシナリオでは、高温ガス通路の高温に曝すことが吸引側外壁を熱膨張させるので、吸引側外壁２７は、その湾曲の頂点のところで外側にたわむ傾向がある。内部壁である吸引側カンバ線リブ６４が、同じレベルの熱膨張を経験せず、これゆえ、外方にたわむ同じ傾向を有することがないことを認識するであろう。カンバ線リブ６４は、次に、外壁２７の熱膨張に抗する。従来型の設計が、ほとんどまたはまったくコンプライアンスのない硬い幾何学的形状で形成されたカンバ線リブ６２を有するという理由で、この抗性およびこれからもたらされる応力集中を、実体的なものとする場合がある。問題を悪化させると、カンバ線リブ６２を外壁２７に接続するために使用するトラバースリブ６６は、直線プロファイルで形成され、一般に、トラバースリブが接続する壁に対して直角に向けられる。こういう状況であれば、加熱された構造が著しく異なる速度で膨張するので、トラバースリブ６６は、外壁２７とカンバ線リブ６４との間の「冷たい」空間的関係を基本的に早く保持するように動作する。したがって、「弾力性」が構造中にほとんどまたはまったく作られないと、従来型の配列は、構造のある領域に集中する応力を取り除くことに不適当である。差異のある熱膨張バスは、構成要素寿命を短くする低サイクル疲労問題を結果としてもたらす。
【００２３】
多くの異なる内部エーロフォイル冷却システムおよび構造的構成を、過去に評価してきており、この問題を直すための試みを行ってきている。１つのそのような取り組みは、外壁２６、２７を過冷却することを提案し、その結果、温度差および、これによって熱膨張差を減少させる。とはいえ、これを典型的に達成する方法は、エーロフォイルを通って循環する冷却剤の量を増加させることであることを認識するであろう。冷却剤が典型的には圧縮機から流れ出る空気であるという理由で、冷却剤の使用量の増加は、エンジンの効率への負の影響を有し、したがって、好ましくは避ける解決策である。製造方法の改善および／または同じ量の冷却剤を使用するが冷却剤をより効率的に使用するさらに複雑な内部冷却構成を使用する他の解決策が、提案されている。これらの解決策がいくぶんか効率的であることを証明しているとはいえ、それぞれが、エンジンの動作または部品の製造のいずれかに追加コストをもたらし、動作中にエーロフォイルがどのように熱膨張するかの観点から従来型の設計の幾何学形状の欠点である根本問題に直接対処することに対して何も行わない。
【００２４】
本発明は、全体として、タービンブレードのエーロフォイル内にしばしば生じる熱応力の不均衡を緩和するある種の湾曲したまたは気泡を形成したまたはサイン波形のまたは波形の内部リブ（以降「波形リブ」）を教示する。この一般的なアイデア内で、本出願は、このアイデアを実現することができるいくつかの方法を記述し、これらの方法は、波形のカンバ線リブ６２および／またはトラバースリブ６６、ならびにこれらの間のあるタイプの角度を付けた接続部を含む。これらの新規な構成−これを、別記の特許請求の範囲に正確に記述したように、別々にまたは組み合わせて利用することができる−は、目標とする柔軟性を与えるようにエーロフォイル２５の内部構造の硬さを減少させ、これによって、応力集中を分散させ、応力にさらに耐えることが可能な別の構造的な領域に歪を移動させることを認識するであろう。これは、例えば、大きな面積の全体にわたり歪を分散させる領域に移動させること、または、おそらく、引張り応力の代わりに、典型的にはより好ましい圧縮負荷に移動する構造を含むことができる。このようにして、寿命を短くする応力集中および歪を回避することができる。
【００２５】
図６は、本発明の実施形態による内壁構成を有するタービン回転子ブレード１６の断面図を与える。具体的に、本発明の態様は、構造的支持体ならびに仕切りの両者として典型的に使用されるリブ６０の構成を含み、仕切りは、中空のエーロフォイル２５を実質的に分離された半径方向に延びる流路４０へと分割し、流路４０を、冷却回路を作るために望むように相互接続することができる。特定の様式でエーロフォイル２５を通る冷却剤の流れを管理するために、これらの流路４０および流路が形成する回路を使用し、その結果、冷却剤の使用は、的を絞られ、より効率的である。本明細書において提供する例を、タービン回転子ブレード１６において使用されるように示すが、同じ概念をやはりタービン固定子ブレード１７において利用することができることを認識するであろう。一実施形態では、本発明のリブ構成は、波形プロファイルを有するカンバ線リブ６２を含む。（本明細書において使用するように、「プロファイル」という用語は、リブが図６の断面図において有する形状を呼ぶものとする。）カンバ線リブ６２は、上に説明したように、典型的には、エーロフォイル２５の前縁２８の近くの位置から後縁２９に向かって延びる長い方のリブの１つである。カンバ線リブが描く経路が、エーロフォイル２５のカンバ線にほぼ平行であるという理由で、これらのリブを「カンバ線リブ」と呼び、カンバ線は、凹型加圧側外壁２６と凸型吸引側外壁２７との間の等距離である点の集合を通りエーロフォイル２５の前縁２８と後縁２９との間に延びる基準線である。本出願によれば、「波形プロファイル」は、示したように、形状で顕著に湾曲しているおよびサイン波形であるプロファイルを含む。言い換えると、「波形プロファイル」は、図６に示したように、前後への「Ｓ字」プロファイルを示すプロファイルである。
【００２６】
波形プロファイルで構成されたカンバ線リブ６２のセグメントまたは長さは、設計基準に依存して変わることがある。提供した例では、波形カンバ線リブ６２は、典型的には、エーロフォイル２５の前縁２８に近い位置からエーロフォイル２５のカンバ線の中間点を超える点まで延びる。カンバ線リブ６２の波形部分は、長さが短くてもよいが、本明細書において論じた同じタイプの性能の長所を依然として与えることを認識するであろう。カンバ線リブ６２の波形セグメントの湾曲の数ならびに長さを、最善の結果を実現するために変えることができる。ある種の実施形態では、本発明の波形カンバ線リブ６２は、カンバ線リブが含む完全な前後への「Ｓ字」形状の数によって定義される。このタイプの好ましい実施形態では、波形カンバ線リブ６２は、少なくとも１つの途切れない前後への「Ｓ字」形状を含む。別の一実施形態では、波形カンバ線リブ６２は、少なくとも２つの連続的であり途切れない前後への「Ｓ字」形状を含む。全体の長さに関して、カンバ線リブ６２の波形セグメントは、エーロフォイル２５のカンバ線の長さのかなりの部分にわたり延びることができる。例えば、図６に示したように、好ましい実施形態では、カンバ線リブ６２の波形部分は、エーロフォイル２５のカンバ線の長さの５０％を超える。言い換えると、カンバ線リブ６２の波形部分は、エーロフォイル２５の前縁２８の近くで始まり、後方に延び、エーロフォイル２５の湾曲の頂点を十分に超える。カンバ線リブ６２の長さの少なくとも２５％の波形部分などのより短い長さを、性能利益のある状態でやはり利用することができることを認識するであろう。
【００２７】
曲がりくねったプロファイルを与えられると、波形カンバ線リブ６２は、その進行方向が変わる経路を描くことを認識するであろう。本発明の波形カンバ線リブ６２を、いたるところで経路が曲がりくねる一般的な円弧を描く経路を有するようにさらに記述することができ、しかも、経路は、典型的に、前縁２８に近い起点およびエーロフォイル２５の後縁２９に近い後端点から延びることを認識するであろう。波形カンバ線リブ６２のケースでは、これは、エーロフォイル２５のカンバ線に大雑把に平行であるこの一般的な円弧を描く経路である。
【００２８】
上に論じた図５の四重壁の例などの多くの知られているエーロフォイル２５構成は、２つのカンバ線リブ６２を含む。このタイプの構成では、加圧側外壁２６の近くに存在する加圧側カンバ線リブ６３、および吸引側外壁２７の近くに存在する吸引側カンバ線リブ６４を有するように記述することができる。本発明は、図６に示したように、吸引側カンバ線リブ６４および加圧側カンバ線リブ６３の両者が波形リブとして形成される構成を含むことができる。代替実施形態では、これらのカンバ線リブ６２のうちの一方だけが、波形プロファイルを有することができる。本発明を、１つのカンバ線リブ６２だけを有する構成でもやはり利用することができることを認識するであろう。
【００２９】
２つのカンバ線リブ６２を含むエーロフォイル２５では、加圧側カンバ線リブ６３および吸引側カンバ線リブ６４が、中央流路４０を画定することを認識するであろう。加圧側カンバ線リブ６３および吸引側カンバ線リブ６４の各々についての波形プロファイルを、中央流路４０に面するカンバ線リブ６２の連続するセグメントによって取られる形状に関連して規定することができる。すなわち、例えば、中央流路４０に関連して、第１の凹形セグメントが第２の凸形セグメントに移行する２つの連続するセグメントを含むように、カンバ線リブ６２の波形プロファイルを記述することができる。代替実施形態では、波形プロファイルは、４つ以上の連続するセグメントを含むことができ、そこでは、第１の凹形セグメントが第２の凸形セグメントに移行し、第２の凸形セグメントが第３の凹形セグメントに移行し、そして第３の凹形セグメントが第４の凸形セグメントに移行する。
【００３０】
本発明の態様によれば、エーロフォイルの内部構造は、エーロフォイルのカンバ線方向に沿って波形リブを含むことができる。カンバ線リブ６２をこのようにしてバネ状に作ることによって、エーロフォイルの内部バックボーンを、性能の優位性を実現することができるようによりコンプライアンスを有するようにすることができる。加えて、負荷通路をさらに柔軟にするために、ならびにリブ６２およびリブが接続する外壁２６、２７とのよりコンプライアンスのある接続を作るために、エーロフォイル構造のトラバースリブを湾曲させることができる。標準的な直線リブ設計が、内部冷却キャビティ壁とはるかに熱い外壁との間のサーマルファイト（ｔｈｅｒｍａｌ  ｆｉｇｈｔ）に起因する大きな応力および低サイクル寿命を経験するのに対して、本発明は、応力集中をより上手く負担することができるバネ状構成を提供し、これを、本明細書において与えたように、構成部品の寿命を改善するために使用することができる。
【００３１】
図７および図８は、本発明の別の一態様による、渦流を引き起こす交差通路１１１を有するエーロフォイルの断面図を与える。図７が、エーロフォイル２５の吸引側の流路４０の拡大図を示す一方で、図８が、５を用いたエーロフォイルの加圧側の流路４０の類似の図を図示することを認識するであろう。図７が、より伝統的な構成を含む一方で、図８は、波形プロファイルを有する波形カンバ線リブ６２を含む配置を図示する。示したように、交差通路１１１は、流路４０内に形成された入口１２０を第２の流路または下流の流路４０内に形成された出口１１７に流体的に接続する。このような交差通路１１１は、流路間に流れ連絡を与えるために典型的には内部構成に含まれる、または鋳造の必要性（すなわち、鋳造プロセス中に使用される支持コネクタの残骸、これは典型的には、鋳造心型の細長い部分の所望の空間的関係を維持するために必要である）のために存在することを認識するであろう。本発明によれば、このタイプの交差通路１１１を、下流の流路、すなわち、出口１１７が中に形成されるこのような流れ通路に対して角度を付けた構成または傾斜した構成を有するように形成する。
【００３２】
本発明によれば、傾斜した構成をいくつかの方法で記述することができる。例えば、交差通路１１１の中心軸を、交差通路１１１の出口１１７を囲む表面に垂直な方向に対してある角度に向けることができる。このケースでは、傾斜した構成は、交差通路１１１の中心軸および出口１１７を囲む表面に垂直な方向が、少なくとも２０°である鋭角を定める構成を含むことができる。この関係を記述するもう１つの方法は、図７および図８に図示したように、直線的な交差通路１１１が、交差通路１１１の出口１１７を囲む表面に対してある角度に向けることである。このケースでは、交差通路１１１および交差通路１１１の出口１１７を囲む表面は、好ましくは７０°よりも小さい角度１１３を形成する。代替実施形態では、交差通路１１１および出口１１７を囲む表面は、５０°よりも小さい角度１１３を形成する。より一般的に、傾斜した構成を、交差通路１１１が第２の流路の中心軸に対して接線方向に向けられる構造としてやはり記述することができる。
【００３３】
エーロフォイル２５の長手方向断面を与える図９は、本発明の別の一態様を図示する。示したように、交差通路１１１は、半径方向傾きを含み、これは、本明細書において使用するように、交差通路１１１が純粋な半径方向の向きに対して傾斜する程度である。図９において流路の向きを与えると、半径方向は壁２６、６２の表面によって表されることを認識するであろう。好ましい実施形態では、傾斜した構成の半径方向傾きは、少なくとも２０°の角度１１９を含む。代替実施形態では、傾斜した構成の半径方向傾きは、少なくとも４０°の角度１１９を含む。
【００３４】
交差通路１１１は、加圧した冷却剤の流れを衝突させるため、および標的領域に向けて衝突する流れの狙いを定めるために十分であるくびれ構成を含むことができる。このようにして冷却剤の流れを衝突させることが、冷却剤の冷却効率を高めることを認識するであろう。下流の流路（すなわち、交差通路１１１を通過する冷却剤がその中へと流れる流路）を、複数の半径方向に延びる面を有すると記述することができる。いくつかの流路は、形状が長方形であり、４つのこのような面を含み、他のものは、より多い面またはより少ない面を有することができる。交差通路１１１の出口１１７は、これらの面のうちの１つの上に形成され、これを出口面１１６と呼ぶことができ、一方で、面のうちの別の一面は、標的面、すなわち、交差通路１１１が狙いを定める面である。いくつかのケースでは、出口１１７を含む面および標的面は、対向面または下流の流路を横切って互いに対向する面である。このケースでは、標的面は、対向面１１４である。好ましい実施形態では、出口１１７を含む面および標的内面は、隣接する面である。このケースでは、標的面は、隣接面１１５である。示したように、標的面が隣接面１１５である場合には、交差通路１１１をその隣接面の近くに設置することができる。
【００３５】
代替実施形態では、図７および図８の両方に図示したように、標的面は、タービュレータ１１８を含む。当業者なら認識するように、タービュレータ１１８は、典型的には丸みを帯びかつ急峻な面を含む細長い突起である。示したように、タービュレータ１１８を、半径方向に向けることができ、標的面上に設置することができる。タービュレータ１１８は、内壁の表面積を増加させ、乱流を引き起こし、これがこの領域内の熱伝達係数を大きくすることを認識するであろう。図示したように、図７および図８の両方の流れ矢印によって示される渦流を形成することを高めるように、タービュレータ１１８をやはり、傾斜した交差通路１１１に対して設置することができる。
【００３６】
図８に図示したように、好ましい実施形態では、交差通路１１１は、湾曲した通路を有することができる。湾曲した通路は、冷却剤が流路の壁のより近くに沿うような方式で冷却剤を注入することができ、これを、例えば、図８に示したように、タービュレータ１１８の有効性を高めるために都合よく使用することができる。一般に、流路４０内に引き起こされる渦流を大きくするために、通路の湾曲を使用することができる。
【００３７】
本出願で論じてきているいくつかのタイプの流路４０のいずれかを流体接続するために、交差通路１１１を使用することができる。標的壁が対向面１１４（すなわち、出口面１１６の反対側である流路４０の面）である例示的な一実施形態では、出口１１７をカンバ線リブ６２上に設置する。このケースでは、いずれか、標的壁が別のカンバ線リブ６２の一部である、または標的壁を、外壁、すなわち、加圧側外壁２６もしくは吸引側外壁２７のうちの１つとすることができ、これは、図７および図８に示した実施形態である。標的面が流路４０の隣接面１１５であるケースでは、出口１１７を好ましくはカンバ線リブ６２上に設置し、一方で、標的壁は、トラバースリブ６６である。これが、加圧側トラバースリブ６７、吸引側トラバースリブ６８、または中央トラバースリブ６９を含むことができることを認識するであろう。あるいは、出口１１７をトラバースリブ６６上に設置することができ、一方で、流路４０の隣接する標的面は、カンバ線リブ６２の一部である。好ましい実施形態では、出口面１１６または標的壁のいずれかは、波形プロファイルを有するカンバ線リブである。波形プロファイルは、図６に関連して上に論じた構成のうちのいずれかを含むことができる。
【００３８】
動作時には、本発明の交差通路１１１を、渦流または半径方向ではない流れパターンを引き起こすように構成する。交差通路が冷却剤をその中へと配送する流路４０に対して上に規定したような傾斜した構成を有するように、交差通路１１１を構成することによって、これを実現する。キャビティを通る冷却流の熱伝達係数をこのような渦流によって高めることが可能であることを認識するであろう。例えば、流路を通る穏やかな層流を有する冷却剤は、これらの壁に近い冷却剤の流れが暖かくなり、冷却剤と壁との間の温度差が小さくなるという理由で、冷却剤が周囲の壁から熱を対流させるときに典型的には効率が低くなる。本発明の交差通路１１１および／またはタービュレータ１１８によって引き起こされる渦流および乱流は、流路の中央から周囲の表面への新鮮で低温の冷却剤を持ち込む方法でこのような流れを途絶えさせる。したがって、大きな熱伝達係数を必要とする領域内にこのような渦流を引き起こすために、本ベーガン（ｖｅｇａｎ）の態様を利用することができる。このようにして、エーロフォイル内の熱勾配の形成を小さくするように、流路を調整することができる。タービンブレードの実効寿命が、熱勾配のレベルおよびこのような温度差が構造内に作る力／応力のレベルに依存するという理由で、前のパラグラフにおいて記述したような交差通路の構成を、エーロフォイルを熱的にバランスさせるため、およびエーロフォイルの使える寿命を延長するために使用することができる。
【００３９】
当業者なら認識するように、いくつかの例示的な実施形態に関連して上に記述した多くの変わる特徴および構成を、本発明の別の可能性のある実施形態を形成するために、さらに選択的に適用することができる。簡潔さのためにおよび当業者の能力を考慮して、可能性のある繰り返しのすべてを詳細には提供しないまたは論じないが、下記のいくつかの請求項によって包含されようがそうでなかろうがすべての組合せおよび可能性のある実施形態は、本出願の一部であるものとする。加えて、本発明のいくつかの例示的な実施形態の上の記述から、当業者なら、改善、変更、および修正に気付くであろう。本分野の技術内でのこのような改善、変更、および修正もやはり、別記の特許請求の範囲によって保護されるものとする。さらに、上記は、本出願の記述した実施形態だけに関係し、数多くの変更および修正を、別記の特許請求の範囲およびその等価物によって規定されるような本出願の精神および範囲から逸脱せずにここに行うことができることを認識されたい。
【符号の説明】
【００４０】
１０  燃焼タービンエンジン
１１  圧縮機
１２  燃焼器
１３  タービン
１４  圧縮機回転子ブレード
１５  圧縮機固定子ブレード
１６  タービン回転子ブレード
１７  タービン固定子ブレード
２１  付け根
２４  プラットフォーム
２５  エーロフォイル
２６  加圧側外壁
２７  吸引側外壁
２８  前縁
２９  後縁
３１  外側寄り先端
４０  流路
６０  リブ
６２  カンバ線リブ
６３  加圧側カンバ線リブ
６４  吸引側カンバ線リブ
６６  トラバースリブ
６７  加圧側トラバースリブ
６８  吸引側トラバースリブ
６９  中央トラバースリブ
１１１  交差通路
１１３  角度
１１４  対向面
１１５  隣接面
１１６  出口面
１１７  出口
１１８  タービュレータ
１１９  角度
１２０  入口
【図１】
2015127541.tif 000003
【図２】
2015127541.tif 000004
【図３】
2015127541.tif 000005
【図４】
2015127541.tif 000006
【図５】
2015127541.tif 000007
【図６】
2015127541.tif 000008
【図７】
2015127541.tif 000009
【図８】
2015127541.tif 000010
【図９】
2015127541.tif 000011